(57)【特許請求の範囲】
【請求項１】
集合住宅の各住戸に設けられた居室機（１ａ，１ｂ，１ｃ）に備えられた車呼びボタン（２ａ，２ｂ，２ｃ）と、停止階情報と停止階で押された呼出階情報が出力できるエレベータ制御盤（３）と、前記居室機と前記エレベータ制御盤が接続されている集合住宅用制御盤（４）と、前記集合住宅用制御盤の出力信号により立体駐車場（９）を作動させる立体駐車場制御盤（５）を備え、前記集合住宅用制御盤は、前記車呼びボタンを押すことにより前記居室機から送られる車呼びデータと発生階情報を受信する居室機インターフェイス（６）と、前記エレベータ制御機から送られる停止階及び呼出階情報を受信するエレベータ制御盤インターフェイス（１０）と、前記発生階情報と前記停止階情報を比較すると共に、前記呼出階情報における呼出階が前記立体駐車場がある階かを比較するデータ比較部（１１）と、前記車呼びボタンを押した住戸の車両パレット番号が登録されている車両パレットメモリ（１２）と、前記データ比較部で比較した結果、前記発生階情報と前記停止階情報が一致し、さらに前記呼出階情報における呼出階が前記立体駐車場がある階であった場合に限り、前記立体駐車場制御盤に呼び出す車両パレットの番号を送る立体駐車場制御盤インターフェイス（１３）を備えたことを特徴とする集合住宅用立体駐車装置。
【発明の詳細な説明】
【０００１】
【発明の属する技術分野】
本発明は集合住宅用立体駐車装置に係り、特に集合住宅の各住戸にある居室機から立体駐車場を制御する集合住宅用立体駐車装置に関する。
【０００２】
【従来の技術】
従来の集合住宅用立体駐車装置を図３に示す。集合住宅における立体駐車場１０３は集合住宅の地下または１階などに設置され、立体駐車場１０３の乗降口付近に車の呼出車両番号入力装置１０２があり、立体駐車場制御盤１０１に接続されている。立体駐車場制御盤１０１は車両パレットを移動するためのモーターを制御する。集合住宅の居住者は立体駐車場に格納してある車に乗って外出する場合、居室を出て立体駐車場の乗降口まで行き、呼出車両番号入力装置１０２で予め住戸毎に指定された車両パレット番号を入力する。入力された車両パレット番号は立体駐車場制御盤１０１に出力され、立体駐車場制御盤１０１は入力された番号に対応する車両パレットを乗降口に移動させる。居住者は車両パレットが乗降口に到着すると、車に乗車することができる。
【０００３】
【発明が解決しようとする課題】
従来の集合住宅用立体駐車装置は以上のように構成されているので、集合住宅の居住者は立体駐車場に格納してある車に乗って外出する場合、立体駐車場の乗降口まで行き、車両番号入力装置で予め住戸毎に指定された車両パレット番号を入力し、入力された番号に対応する車両パレットが乗降口に到着するまで長い間待たなければならないという難点があった。
本発明は、この難点を解決するためになされたもので、集合住宅の居住者が立体駐車場で長い間待つことなく車に乗ることを目的とする。
【０００４】
【課題を解決するための手段】
この目的を達成するため、本発明による集合住宅用立体駐車装置は、集合住宅の各住戸に設けられた居室機に備えられた車呼びボタンと、停止階情報と停止階で押された呼出階情報が出力できるエレベータ制御盤と、居室機とエレベータ制御盤が接続されている集合住宅用制御盤と、集合住宅用制御盤の出力信号により立体駐車場を作動させる立体駐車場制御盤を備え、集合住宅用制御盤は、車呼びボタンを押すことにより居室機から送られる車呼びデータと発生階情報を受信する居室機インターフェイスと、エレベータ制御機から送られる停止階及び呼出階情報を受信するエレベータ制御盤インターフェイスと、それらのデータを比較するデータ比較部と、車呼びボタンを押した住戸の車両パレット番号が登録されている車両パレットメモリと、立体駐車場制御盤に呼び出す車両パレットの番号を送る立体駐車場制御盤インターフェイスを備えたことを特徴としたものである。この集合住宅用立体駐車装置において、集合住宅の居住者が立体駐車場であまり長い時間待たずに居住者の車が出庫できるようにした。
【０００５】
【発明の実施の形態】
以下に、本発明による集合住宅用立体駐車装置の実施の形態例を図に従って詳述する。図１において集合住宅の各住戸に設けられた居室機１ａ，１ｂ，１ｃと、エレベータ制御盤３と、呼出階ボタン８と、集合住宅用制御盤４と、立体駐車場制御盤５と、呼出車両番号入力装置１４と、立体駐車場９とから構成され、居室機１ａ，１ｂ，１ｃと、エレベータ制御盤３と、立体駐車場制御盤５はそれぞれ集合住宅用制御盤４と接続され、呼出車両番号入力装置１４と、立体駐車場９はそれぞれ立体駐車場制御盤５に接続され、エレベータの停止階及び呼出階情報を送る呼出階ボタン８はエレベータ制御盤３に接続されている。集合住宅用制御盤４は居室機インターフェイス６と、エレベータ制御盤インターフェイス１０と、データ比較部１１と、車両パレットメモリ１２と、立体駐車場制御盤インターフェイス１３を備え、居室機インターフェイス６は居室機１ａ，１ｂ，１ｃと接続され、エレベータ制御盤インターフェイス１０はエレベータ制御盤３と接続され、立体駐車場制御盤インターフェイス１３は立体駐車場制御盤５と接続され、居室機インターフェイス６と、エレベータ制御盤インターフェイス１０と、車両パレットメモリ１２と、立体駐車場制御盤インターフェイス１３はデータ比較部１１とそれぞれ接続されている。居室機１ａ，１ｂ，１ｃから集合住宅の居住者が車呼びボタン２ａ，２ｂ，２ｃを押すことによって居室機１ａ，１ｂ，１ｃはその住戸が車呼びボタン２ａ，２ｂ，２ｃを押したことを知らせる信号を集合住宅情報盤４の居室機インターフェイス６に出力する。その居住者がその階からエレベータ７に乗り、エレベータ７の内部にある呼出階ボタン８押すとエレベータ制御盤３は停止階とエレベータ７で呼び出した階情報をエレベータ制御盤３からエレベータ制御盤インターフェイス１０に出力する。集合住宅制御盤４のデータ比較部１１は、車呼びが発生した階とエレベータ停止階が一致し、エレベータ７で呼び出した階が立体駐車場がある階である場合に限って、予め集合住宅制御盤４の中に登録されている車両パレットメモリ１２から住戸に対応した車両パレットの番号を読み出し、立体駐車場制御盤インターフェイス１３に出力する。立体駐車場制御盤インターフェイス１３が車両パレットの番号を立体駐車場制御盤５に出力すると立体駐車場制御盤５は立体駐車場の乗降口に指定された車両パレットを移動させる。但し、呼出車両番号入力装置によって手動で立体駐車場を制御している場合は手動操作が終了してから車呼びによる車両パレットの移動を行う。このようにエレベータの情報を付加することで住戸内で呼出を行っても立体駐車場は動かず、エレベータに乗って立体駐車場のある階を呼び出した時点で車が呼び出されるので、無駄な呼出が発生することがない。
【０００６】
次に、この集合住宅用立体駐車装置の作動を図1と図２に示すフローチャートを参照しながら説明する。集合住宅の各住戸に設けられた居室機１ａ，１ｂ，１ｃから集合住宅の居住者が車呼びボタン２ａ，２ｂ，２ｃを押すことによって車呼び信号を集合住宅情報盤４の居室機インターフェイス６に出力する（ステップＳ１）。その居住者がその階からエレベータ７に乗り、エレベータ７の内部にある呼出階ボタン８押すとエレベータ制御盤３は停止階とそこで押された呼出階情報ををエレベータ制御盤３から集合住宅制御盤４のエレベータ制御盤インターフェイス１０に出力する（ステップＳ２）。集合住宅制御盤４のデータ比較部１１は、車呼びが発生した階とエレベータ停止階が一致しない場合は、この車呼び信号は無効とする（ステップＳ３）。さらに車呼びが発生した階とエレベータ停止階が一致した場合でも呼出階が立体駐車場がある階でない場合は、この車呼び信号は無効とする（ステップＳ４）。エレベータ７で呼び出した階が立体駐車場がある階である場合に限って、予め集合住宅制御盤４の中に登録されている車両パレットメモリ１２から住戸に対応した車両パレットの番号を読み出し、立体駐車場制御盤インターフェイス１３に出力する（ステップＳ５）。これにより、立体駐車場制御盤インターフェイス１３が車両パレットの番号を立体駐車場制御盤５に出力すると立体駐車場制御盤５は立体駐車場９の乗降口に指定された車両パレットを移動させる。
【０００７】
【発明の効果】
以上の説明から明らかなように、本発明による集合住宅用立体駐車装置によれば、集合住宅の各住戸にある居室機の車呼びボタンを押すことによって、エレベータに乗り立体駐車場に着くころに車両パレットが出庫口に到着するので、立体駐車場で操作ボタンにより車両パレットを呼び出し、乗降口に到着するまで長い間待つことがない。
【図面の簡単な説明】
【図１】本発明の集合住宅用立体駐車装置の一実施例を示す図。
【図２】本発明の集合住宅用立体駐車装置の作動を示すフローチャート。
【図３】従来の集合住宅用立体駐車装置を示す図。
【符号の説明】
１ａ，１ｂ，１ｃ・・・・・居室機
２ａ，２ｂ，２ｃ・・・・・車呼びボタン
３・・・・・エレベータ制御盤
４・・・・・集合住宅制御盤
５・・・・・立体駐車場制御盤
９・・・・・立体駐車場
１０・・・・・エレベータ制御盤インターフェイス
１１・・・・・データ比較部
１２・・・・・車両パレットメモリ
１３・・・・・立体駐車場制御盤インターフェイス
【図１】
0004130510.tif 000002
【図２】
0004130510.tif 000003
【図３】
0004130510.tif 000004